(57)【要約】      （修正有）【課題】パッドをバンドに安定的に取付けると共に、パッドをバンドに対して着脱自在に設けて利便性を向上させて使用することができる補助ベルトを提供する。【解決手段】バンド２と、バンド２の２箇所を連結して環状にする連結具３と、身体の何れかの部位に当てがわれバンド方向に沿って形成されるパッド４とを備え、パッド４をバンド２に取付けるためにバンド２を挿通させるループを形成するようにバンド方向に対して交差方向に延びる取付体を前記パッド４に設け、理学療法治療や介護の際に用いられる補助ベルト１であって、前記取付体をループの着脱開閉が可能な複数のループ片によって構成し、該取付体を４つ設けた。【選択図】図２
0003144949.tif 000002
【実用新案登録請求の範囲】
【請求項１】
バンド（２）と、バンド（２）の２箇所を連結して環状にする連結具（３）と、身体の何れかの部位に当てがわれバンド方向に沿って形成されるパッド（４）とを備え、パッド（４）をバンド（２）に取付けるためにバンド（２）を挿通させるループを形成するようにバンド方向に対して交差方向に延びる取付体（７）を前記パッド（４）に設け、理学療法治療や介護の際に用いられる補助ベルト（１）において、前記取付体（７）をループの着脱開閉が可能な複数のループ片によって構成し、該取付体（７）を４つ設けたことを特徴とする補助ベルト。
【請求項２】
取付体（７）をパッド（４）に等間隔に配置した請求項１の補助ベルト。
【請求項３】
取付体（７）をベルベットファスナ（２３）を用いてループの着脱開閉が可能な複数のループ片（２１），（２２）で構成した請求項１又は２の補助ベルト。
【請求項４】
連結具（３）がバンドに設けられる雌側連結具（８）と雄側連結具（９）とを備えた請求項１又は２又は３の補助ベルト。
【請求項５】
連結具（３）が合成樹脂からなる請求項１又は２又は３又は４の補助ベルト。
【考案の詳細な説明】
【技術分野】
【０００１】
この考案は、理学療法治療や介護の際に用いられる補助ベルトに関する。
【背景技術】
【０００２】
従来、理学療法治療や介護の際に用いられる補助ベルトは、平ベルト状のバンドに、該バンドの２箇所を係脱自在に連結する連結具と、介護作業時に介護者の身体の何れかの部位に当てがうパッドを備えたものが既に公知である（例えば特許文献１）。
上記補助ベルトのパッドは、その背面部にループを形成するようにバンド方向に対して交差方向に延びる３つの取付体を設け、該取付体にバンドに挿通して保持する構成にしている。
【特許文献１】特開２０００−１４００２４号公報
【考案の開示】
【考案が解決しようとする課題】
【０００３】
しかし、上記文献の補助ベルトは、パッドを３つの取付体でバンドに取付けているので、パッドを長く形成して身体の腰部に当てがわせたい場合等に、バンドに対してパッドの支持が不安定になり、パッドがバンドに対してずれ易いという欠点がある。またパッドをバンドから取外す際、ループ状の取付体が連結具に引っ掛かり、パッドをバンドから簡単に取外すことが困難であるという課題がある。
【課題を解決するための手段】
【０００４】
上記課題を解決するため本考案の補助ベルトは、第１に、バンド２と、バンド２の２箇所を連結して環状にする連結具３と、身体の何れかの部位に当てがわれバンド方向に沿って形成されるパッド４とを備え、パッド４をバンド２に取付けるためにバンド２を挿通させるループを形成するようにバンド方向に対して交差方向に延びる取付体７を前記パッド４に設け、介護や理学治療の際に用いられる補助ベルト１において、前記取付体７をループの着脱開閉が可能な複数のループ片によって構成し、該取付体７を４つ設けたことを特徴としている。
【０００５】
第２に、取付体７をパッド４に等間隔に配置したことを特徴としている。
【０００６】
第３に、取付体７をベルベットファスナ２３を用いてループの着脱開閉が可能な複数のループ片２１，２２で構成したことを特徴としている。
【０００７】
第４に、連結具３がバンドに設けられる雌側連結具８と雄側連結具９とを備えたことを特徴としている。
【０００８】
第５に、連結具３が合成樹脂からなることを特徴としている。
【考案の効果】
【０００９】
以上のように構成される本考案の補助ベルトは、パッドをバンドに取付けるためにバンドを挿通させるループを形成する取付体を４つ設けているため、３つの取付体によりパッドをバンドに取付けるものと比較して、パッドをより安定してバンドに取付けることができるという効果がある他、前記取付体をループの着脱開閉が可能な複数のループ片によって構成し、パッドがバンドに対して着脱自在になるため、利便性が向上するという効果がある。
【００１０】
また取付体をパッドに等間隔に配置することにより、より安定的にパッドをバンドに取付けることが可能になるという効果がある。
【考案を実施するための最良の形態】
【００１１】
本考案の一実施形態を図１〜図５を参照し説明する。図１は本考案に係る補助ベルト１の使用態様を示し、図２は補助ベルト１の全体構造を示す斜視図である。図３はバンド２をループ状に連結する連結具３の分解図であり、図４はパッド４の背面図であり、図５は図４のパッド部６と取付体７の構成を示す断面図である。
【００１２】
この補助ベルト１は可撓性を有する平ベルト状のバンド２と、バンド２の２箇所を連結して環状にする連結具３と、バンド方向に沿って形成され身体の何れかの部位にクッション性を有し当てがわれるパッド４とからなる。
実施形態におけるバンド２は、滑らかな肌触りのよい強靭な繊維を平ベルト状に織り上げたものを、十分な長さを有して体に巻きつけることができる長さとしており、両端側を連結具３により係脱自在に連結する構成にしている。
【００１３】
上記連結具３は図３に示すように、バンド２の一側端に取付固定される雌側連結具８と、他端側にベルト方向に移動自在に挿入されて取付けられる雄側連結具９からなり、いずれも合成樹脂で形成することにより、使用し易い構造で軽量化された連結具３を低コストで製造することができる。雄側連結具９に形成され二股状に配列配置される上下一対の係合片１１を、雌側連結具８に形成される係合穴１２に嵌め込むことにより、バンド２を係脱自在にループ状に連結することができる。
【００１４】
上記雌側連結具８のバンド２を取付ける端部であるバンド取付端８ａの反対側の端部である連結端８ｂには方形断面の係合穴１２が上記バンド取付端側に向かって開口形成されており、雌側連結具８の上下の各端部に上記係合穴１２に連通するように切欠孔１３を穿設することにより、前記係合片１１の抜け止めを行なうストッパ部１４が雌側連結具８の上下端の上記開口端側に形成されている。
【００１５】
雄側連結具９のバンド２を取付ける端部であるバンド取付端９ａからは、前記一対の係合片１１が互いに近接する側に弾性変形可能に突出形成されている他、該一対の係合片１１に挟まれるようにガイド片１５が突設されている。そして、該一対の係合片１１を係合穴１２の上下に弾性を有して内接するように挿入すると、係合片１１は係合穴１２に挿入した位置決め状態で切欠孔１３に臨みストッパ部１４に係合することができ、バンド方向の抜け止めをしてバンド２をループ状に形成保持する。ガイド片１５は、係合片１１の所定以上の弾性変形を規制し且つ係合片１１の係合穴１２側への挿入を案内するものである。
【００１６】
この構成により連結具３は上記連結状態で、上下の切欠孔１３に臨む一対の係合片１１を互いが近接する側に押し込むとストッパ部１４との係合が解除され、雄側連結具９を雌側連結具８から簡単に引き抜くことができる。ちなみに、ベルト２に対して雄側連結具９をベルト方向に移動調整することにより、連結具３を介してバンド２を環状にした際の、環状部分の径（大きさ）を調整する。
【００１７】
パッド４は図２，図４，図５に示すように、バンド方向の長さを人の胴周りの略半周程度に接当する長さにしていると共に、バンド幅よりやや広い幅となし、パッド面の裏側に、ループ状をなすバンド２に対して交差方向（図示する例では直交方向）に延びる取付体７を等間隔で４つに設け、該４つのループにバンド２を挿通させることにより、パッド４をバンド２に安定よく装着することができ、理学療法治療や介護の際に好適に使用できるようにしている。
【００１８】
実施形態のパッド４は図５で示すように、パッド部６を通気性及びクッション性を有するスポンジや合成樹脂等からなる板状の中芯１６と、中芯１６の内側と外側を縫代を有して覆う内カバー１７と外カバー１８と、両カバー１７，１８の外周辺を覆う縁カバー１９とからなる。これにより中芯１６に内カバー１７と外カバー１８を重ね合わせ、その周囲を縁カバー１９で覆った状態で縁縫いをすると、パッド部６をクッション性を有し強靭な構成することができる。尚、内カバー１７は耐摩耗性の網目部材にすることが望ましい。
【００１９】
また取付体７は一端が上記外カバー１８と縁カバー１９との間で縫込みされ他端が自由端となる一対の帯状のループ片２１，２２からなり、ループ片２１とループ片２２との重ね代の間にベルベットファスナ２３を設けることにより、複数のループ片によってループの着脱開閉が可能な構成にしている。
【００２０】
そして、ベルベットファスナ２３の貼着を外して各取付体７を構成するループ片２１，２２の係合を解除すると、取付体７が開状態（解放状態）になり、ベルト２へのパッド４への取付け及び取外しが可能な状態になる。
【００２１】
一方、上記解放状態においてバンド２をパッド部６の外カバー１８に接当させてループ片２１とループ片２２をループが形成されるように閉じ、ベルベットファスナ２３を貼着して両ループ片２１，２２を係合させると、バンド２を４つの取付体７に挿通した状態で保持することができる。従って、従来のもののようにループ状をなす３つの取付体にバンド２をそれぞれ通す手間をかけないで、簡単且つ安定的に保持することができる。
【００２２】
またパッド４は必要によりバンド２から外したい場合には、バンド２を身体に装着したままでも、各取付体７はベルベットファスナ２３による固定を解除するだけでループを解放することができる。従って、パッド４はバンド２の一側に移動させたり連結具３を外すことなく、且つバンド２を身体から外さないで装着したまま、理学療法治療や介護作業の中途においても速やかに外すことができる。
【００２３】
次に、以上のように構成される補助ベルト１を利用して理学療法治療を行なう使用態様について図１を参照し説明する。図示する例はベッド２６に仰向けに横たわる被治療者の足を、治療者が足首を持ち上げて引張り調整する治療作業を示し、１つの補助ベルト１はパッド４を被治療者の下腹部に当てた状態でバンド２をベッド２６に巻きつけ固定し、別の補助ベルト１は治療者が自身の腰部にパッド４を当て、且つ腰部に巻き掛けたバンド２の他側で足を握った状態の手に巻きつけている。
【００２４】
これによれば治療者は、身体を後方に動かしながらバンド２を介して腰の力を手に伝えるので、腕を酷使することなく足を無理なく適切に引張ることができる。また被治療者は補助ベルト１を介しベッド２６に固定されているため適正な治療を受けることができる。またバンド２は十分な長さを有して手に巻きつけられるので、腰の力をバンド２を介し握る力に変換利用して、握り位置や指圧位置の位置ずれを防止しながら、長時間の治療でも治療者及び被治療者に身体的な負担を大きくかけることなく楽に行うことができる。
【００２５】
また上記のような作業において、パッド４は腰の半周程度に接当していると共に、ループを形成する４つの取付体７を等間隔に配置しているため、従来の３つの取付体によりパッド４をバンド２に取付けるものと比較して、パッド４をより安定的にバンド２に保持することが可能になる。また前記取付体７をループの着脱開閉が可能な複数のループ片２１，２２によって構成しているので、パッド４が邪魔になり取り外す必要がある場合に速やかに外すことができるので、介護作業等においても利便性を有して使用することができる等の利点がある。
【図面の簡単な説明】
【００２６】
【図１】本考案に係る補助ベルトの使用態様を示す斜視図である。
【図２】図１の補助ベルトの構成を示す全体斜視図である。
【図３】連結具の雌側連結具と雄側連結具の構成を示す正面図である。
【図４】パッドの構成を示す背面図である。
【図５】図４のＡ―Ａ線断面図である。
【符号の説明】
【００２７】
１  補助ベルト
２  バンド
３  連結具
４  パッド
７  取付体
８  雌側連結具
９  雄側連結具
２１，２２  ループ片
２３  ベルベットファスナ
【図１】
0003144949.tif 000003
【図２】
0003144949.tif 000004
【図３】
0003144949.tif 000005
【図４】
0003144949.tif 000006
【図５】
0003144949.tif 000007